(57)【要約】【課題】  配線基板とリードフレームとが導電性接合部材を介して接合されてなる電子装置において、リード端子と配線基板との接合において工程数の増加を招くことなく、当該接合強度を強固なものにするとともに、電子素子の３次元的な配置を容易に行え、装置の小型化を図ることができるようにする。【解決手段】  積層して配置された第１の配線基板１０および第２の配線基板２０と、両配線基板１０、２０の間に介在し両配線基板１０、２０の間を電気的に接続するリードフレーム４０とを備え、各配線基板１０、２０の周辺部には、リードフレーム４０の接合部に対応した位置に溝１６、２６が形成されており、リードフレーム４０における両配線基板１０、２０との接続端部が、導電性接合部材５０を介して溝１６、２６にはめ込まれることにより、各配線基板１０、２０とリードフレーム４０との接合がなされている。【選択図】        図１
2005229090.tif 000002
【特許請求の範囲】
【請求項１】
積層して配置された第１の配線基板（１０）および第２の配線基板（２０）と、
前記第１の配線基板（１０）と前記第２の配線基板（２０）との間に介在し、前記第１および第２の配線基板（１０、２０）の間を電気的に接続するリード端子（４０）とを備え、
前記第１および第２の配線基板（１０、２０）の周辺部には、前記リード端子（４０）との接合部に対応した位置に、溝（１６、２６）が形成されており、
前記リード端子（４０）における前記第１および第２の配線基板（１０、２０）との接続端部が、前記導電性接合部材（５０）を介して前記溝（１６、２６）にはめ込まれることにより、前記第１および第２の配線基板（１０、２０）と前記リード端子（４０）との接合がなされていることを特徴とする電子装置。
【請求項２】
前記第１の配線基板（１０）および前記第２の配線基板（２０）は、複数の層（１１〜１４、２１〜２４）が積層されてなる積層基板であり、
前記溝（１６、２６）は、前記積層された複数の層（１１〜１４、２１〜２４）のうち外面側に位置する層（１４、２４）の一部が除去されたものとして構成されていることを特徴とする請求項１に記載の電子装置。
【請求項３】
前記第１の配線基板（１０）および前記第２の配線基板（２０）の少なくとも一方における前記リード端子（４０）との接続面には、端子（１７）が設けられており、
前記リード端子（４０）の一部は、前記端子（１７）まで延びる延設部（４２）となっており、
この延設部（４２）と前記端子（１７）とが電気的に接続されていることを特徴とする請求項１または２に記載の電子装置。
【請求項４】
前記第１の配線基板（１０）と前記第２の配線基板（２０）との間には、前記第１および前記第２の配線基板（１０、２０）と熱的に接続された放熱板（４３）が介在しており、
この放熱板（４３）を介して、前記両配線基板（１０、２０）の放熱が可能になっていることを特徴とする請求項１または２に記載の電子装置。
【請求項５】
第１の電子素子（３０、３１）が搭載された配線基板（１０）と、
この配線基板（１０）に導電性接合部材（５０）を介して接合されたリード端子（４０）とを備え、
前記配線基板（１０）の周辺部には、前記リード端子（４０）との接合部に対応した位置に、溝（１６）が形成されており、
前記リード端子（４０）における前記配線基板（１０）との接続端部が、前記導電性接合部材（５０）を介して前記溝（１６）にはめ込まれることにより、前記配線基板（１０）と前記リード端子（４０）との接合がなされており、
前記リード端子（４０）のうち前記配線基板（１０）に接合された面とは反対側の面に、第２の電子素子（３４）が搭載されており、
前記第２の電子素子（３４）と前記配線基板（１０）とは電気的に接続されていることを特徴とする電子装置。
【請求項６】
前記第２の電子素子（３４）と前記配線基板（１０）とはボンディングワイヤ（３５）を介して電気的に接続されていることを特徴とする請求項５に記載の電子装置。
【請求項７】
前記配線基板（１０）における前記リード端子（４０）との接続面には、端子（１７）が設けられており、
前記リード端子（４０）の一部は、前記端子（１７）まで延びる延設部（４２）となっており、
この延設部（４２）と前記端子（１７）とが電気的に接続されていることを特徴とする請求項５に記載の電子装置。
【請求項８】
前記配線基板（１０）における前記リード端子（４０）との接続面には、前記配線基板（１０）と熱的に接続された放熱板（４３）が介在しており、
この放熱板（４３）を介して、前記配線基板（１０）の放熱が可能になっていることを特徴とする請求項５に記載の電子装置。
【請求項９】
前記配線基板（１０）における前記リード端子（４０）との接続面側には、ヒートシンク（４５）が設けられており、
前記リード端子（４０）は前記ヒートシンク（４５）と熱的に接続されており、
前記ヒートシンク（４５）の一部および前記リード端子（４０）の一部が露出するように、前記第１の電子素子（３０、３１）、前記配線基板（１０）、前記第２の電子素子（３４）、前記リード端子（４０）および前記ヒートシンク（４５）が、モールド樹脂（６０）により封止されていることを特徴とする請求項５に記載の電子装置。
【請求項１０】
前記リード端子（４０）と前記ヒートシンク（４５）とは一体に成形されたものであることを特徴とする請求項９に記載の電子装置。
【請求項１１】
前記配線基板（１０）は複数の層（１１〜１４）が積層されてなる積層基板であり、
前記溝（１６）は、前記積層された複数の層（１１〜１４）のうち外面側に位置する層（１４）の一部が除去されたものとして構成されていることを特徴とする請求項６ないし１０のいずれか１つに記載の電子装置。
【請求項１２】
第１の電子素子（３０、３１）が搭載された第１の配線基板（１０）と、
この第１の配線基板（１０）に導電性接合部材（５０）を介して接合されたリード端子（４０）とを備え、
前記第１の配線基板（１０）の周辺部には、前記リード端子（４０）との接合部に対応した位置に、溝（１６）が形成されており、
前記リード端子（４０）における前記第１の配線基板（１０）との接続端部が、前記導電性接合部材（５０）を介して前記溝（１６）にはめ込まれることにより、前記第１の配線基板（１０）と前記リード端子（４０）との接合がなされており、
前記リード端子（４０）は、ケース（７０）に支持されており、
前記ケース（７０）は前記第１の配線基板（１０）と対向する対向面（７０ａ）を有しており、
前記ケース（７０）の対向面（７０ａ）に第２の配線基板（２０）が設けられており、
前記第２の配線基板（２０）に第２の電子素子（３４）が搭載されており、
前記第１の配線基板（１０）と前記第２の配線基板（２０）とは前記リード端子（４０）を介して電気的に接続されていることを特徴とする電子装置。
【請求項１３】
前記ケース（７０）はヒートシンク（７１）を備えており、前記ヒートシンク（７１）の一面が前記ケース（７０）の対向面（７０ａ）として構成されていることを特徴とする請求項１２に記載の電子装置。
【請求項１４】
前記ケース（７０）は樹脂製であり、前記リード端子（４０）は前記ケース（７０）にインサート成型されることにより一体化されて支持されていることを特徴とする請求項１２または１３に記載の電子装置。
【請求項１５】
前記第２の配線基板（２０）と前記リード端子（４０）とはボンディングワイヤ（３５）を介して電気的に接続されていることを特徴とする請求項１２ないし１４のいずれか１つに記載の電子装置。
【請求項１６】
前記第１の配線基板（１０）における前記リード端子（４０）との接続面には、端子（１７）が設けられており、
前記リード端子（４０）の一部は、前記端子（１７）まで延びる延設部（４２）となっており、
この延設部（４２）と前記端子（１７）とが電気的に接続されていることを特徴とする請求項１２に記載の電子装置。
【請求項１７】
前記第１の配線基板（１０）は複数の層（１１〜１４）が積層されてなる積層基板であり、
前記溝（１６）は、前記積層された複数の層（１１〜１４）のうち外面側に位置する層（１１）の一部が除去されたものとして構成されていることを特徴とする請求項１２ないし１６のいずれか１つに記載の電子装置。
【発明の詳細な説明】
【技術分野】
【０００１】
本発明は、配線基板とリード端子とが導電性接合部材を介して接合されてなる電子装置に関する。
【背景技術】
【０００２】
配線基板とリード端子とを電気的に接合する従来技術として、ワイヤボンドがある。これは、配線基板とリード端子との間をワイヤによって結線する技術であるが、ワイヤを張る領域が必要となるため、大型になってしまうという問題が生じている。
【０００３】
これを解消する方法として、配線基板とリード端子とを直接、導電性接合材を介して接合する手法があるが、配線基板に部品を搭載する工程や樹脂モールドを行う成形工程などで、接着部分に応力が加わり接着部にクラック等が発生することがある。
【０００４】
この対応策として、従来より、配線基板とリード端子とを直接、導電性接合材を介して接合した後、さらに、接合部に補強用の樹脂を塗布するものが提案されている（たとえば、特許文献１参照）。
【０００５】
また、配線基板とリード端子とを直接、導電性接合材を介して接合した後、さらに、絶縁性テープを用いてリード端子の固定部を補強する手法が提案されている（たとえば、特許文献２参照）。
【特許文献１】特開２００１−２１０７３６号公報
【特許文献２】特開２００１−６８５８２号公報
【発明の開示】
【発明が解決しようとする課題】
【０００６】
しかしながら、上記したように、配線基板とリード端子とを直接、導電性接合材を介して接合した後、さらに、接合部を樹脂や絶縁性テープにより補強する方法では、これら樹脂や絶縁性テープを配設する工程が必要であり、配線基板とリード端子との接合において工程の増加を招く。
【０００７】
また、この種の電子装置では、配線基板に電子素子が搭載されるが、この電子素子の３次元的な配置を行って装置の小型化を図ろうとした場合、リード端子における配線基板との接続面とは反対側の面に、もう１枚配線基板を搭載することが考えられる。
【０００８】
しかしながら、この場合、２枚の配線基板でリード端子を挟み込んだ形となるため、配線基板とリード端子との接合部を樹脂や絶縁性テープにより補強しようとしても、樹脂や絶縁性テープを配置することが困難になってしまう。
【０００９】
本発明は、上記問題に鑑み、配線基板とリード端子とが導電性接合部材を介して接合されてなる電子装置において、リード端子と配線基板との接合において工程数の増加を招くことなく、当該接合強度を強固なものにできるとともに、電子素子の３次元的な配置を容易に行え、装置の小型化を図ることができるようにすることを目的とする。
【課題を解決するための手段】
【００１０】
上記目的を達成するため、請求項１に記載の発明では、積層して配置された第１の配線基板（１０）および第２の配線基板（２０）と、第１の配線基板（１０）と第２の配線基板（２０）との間に介在し、第１および第２の配線基板（１０、２０）の間を電気的に接続するリード端子（４０）とを備え、第１および第２の配線基板（１０、２０）の周辺部には、リード端子（４０）との接合部に対応した位置に、溝（１６、２６）が形成されており、リード端子（４０）における第１および第２の配線基板（１０、２０）との接続端部が、導電性接合部材（５０）を介して溝（１６、２６）にはめ込まれることにより、第１および第２の配線基板（１０、２０）と前記リード端子（４０）との接合がなされていることを特徴とする電子装置が提供される。
【００１１】
それによれば、リード端子（４０）が第１および第２の配線基板（１０、２０）の溝（１６、２６）にはめ込まれて接合されているので、従来に比べて第１および第２の配線基板（１０、２０）とリード端子（４０）との結合を強固なものにできる。
【００１２】
また、この溝（１６、２６）は、第１および第２の配線基板（１０、２０）を作製する際に同時に形成することができるため、リード端子（４０）と第１および第２の配線基板（１０、２０）との接合において工程数の増加を招くことは無い。
【００１３】
また、第１および第２の配線基板（１０、２０）が積層され、リード端子（４０）を介して両配線基板（１０、２０）が電気的に接続されているので、第１および第２の配線基板（１０、２０）のそれぞれに電子素子（３０、３１）を搭載することによって、電子素子（３０、３１）の３次元的な配置が適切になされる。
【００１４】
よって、本発明によれば、リード端子（４０）と配線基板（１０、２０）との接合において工程数の増加を招くことなく、当該接合強度を強固なものにできるとともに、電子素子（３０、３１）の３次元的な配置を容易に行え、装置の小型化を図ることができる。
【００１５】
また、請求項２に記載の発明のように、請求項１に記載の電子装置において、第１の配線基板（１０）および第２の配線基板（２０）は、複数の層（１１〜１４、２１〜２４）が積層されてなる積層基板であり、溝（１６、２６）は、積層された複数の層（１１〜１４、２１〜２４）のうち外面側に位置する層（１４、２４）の一部が除去されたものとして構成されたものにできる。
【００１６】
また、請求項３に記載の発明では、請求項１または請求項２に記載の電子装置において、第１の配線基板（１０）および第２の配線基板（２０）の少なくとも一方におけるリード端子（４０）との接続面には、端子（１７）が設けられており、リード端子（４０）の一部は、端子（１７）まで延びる延設部（４２）となっており、この延設部（４２）と端子（１７）とが電気的に接続されていることを特徴としている。
【００１７】
それによれば、配線基板（１０、２０）とリード端子（４０）との配線抵抗を低くでき、接続性を向上させることができる。また、たとえば端子（１７）をＧＮＤ電位とすることにより、耐ノイズ性が向上する。また、端子（１７）をパワー配線とすることにより、配線での電圧低下や発熱を抑制することができる。
【００１８】
また、請求項４に記載の発明では、請求項１または請求項２に記載の電子装置において、第１の配線基板（１０）と第２の配線基板（２０）との間には、これら両配線基板（１０、２０）と熱的に接続された放熱板（４３）が介在しており、この放熱板（４３）を介して、両配線基板（１０、２０）の放熱が可能になっていることを特徴としている。
【００１９】
それによれば、放熱板（４３）によって両配線基板（１０、２０）の放熱性を向上させることができるため、好ましい。
【００２０】
請求項５に記載の発明では、第１の電子素子（３０、３１）が搭載された配線基板（１０）と、この配線基板（１０）に導電性接合部材（５０）を介して接合されたリード端子（４０）とを備え、配線基板（１０）の周辺部には、リード端子（４０）との接合部に対応した位置に、溝（１６）が形成されており、リード端子（４０）における配線基板（１０）との接続端部が、導電性接合部材（５０）を介して溝（１６）にはめ込まれることにより、配線基板（１０）とリード端子（４０）との接合がなされており、リード端子（４０）のうち配線基板（１０）に接合された面とは反対側の面に、第２の電子素子（３４）が搭載されており、第２の電子素子（３４）と配線基板（１０）とは電気的に接続されていることを特徴とする電子装置が提供される。
【００２１】
それによれば、リード端子（４０）が配線基板（１０）の溝（１６）にはめ込まれて接合されているので、従来に比べて配線基板（１０）とリード端子（４０）との結合を強固なものにできる。
【００２２】
また、この溝（１６）は、配線基板（１０）を作製する際に同時に形成することができるため、リード端子（４０）と配線基板（１０）との接合において工程数の増加を招くことは無い。
【００２３】
また、配線基板（１０）、リード端子（４０）のうちの配線基板（１０）とは反対側の面に、それぞれ第１の電子素子（３０、３１）、第２の電子素子（３４）を搭載しており、さらに、リード端子（４０）に搭載された第２の電子素子（３４）は配線基板（１０）に電気的に接続されているので、電子素子（３０、３１、３４）の３次元的な配置が適切になされる。
【００２４】
よって、本発明によれば、リード端子（４０）と配線基板（１０）との接合において工程数の増加を招くことなく、当該接合強度を強固なものにできるとともに、電子素子（３０、３１、３４）の３次元的な配置を容易に行え、装置の小型化を図ることができる。
【００２５】
ここで、請求項６に記載の発明のように、請求項５に記載の電子装置において、第２の電子素子（３４）と配線基板（１０）とはボンディングワイヤ（３５）を介して電気的に接続されているものにできる。
【００２６】
また、請求項７に記載の発明では、請求項５に記載の電子装置において、配線基板（１０）におけるリード端子（４０）との接続面には、端子（１７）が設けられており、リード端子（４０）の一部は、端子（１７）まで延びる延設部（４２）となっており、この延設部（４２）と前記端子（１７）とが電気的に接続されていることを特徴としている。
【００２７】
それによれば、配線基板（１０）とリード端子（４０）との配線抵抗を低くでき、接続性を向上させることができる。また、たとえば端子（１７）をＧＮＤ電位とすることにより、耐ノイズ性が向上する。また、端子（１７）をパワー配線とすることにより、配線での電圧低下や発熱を抑制することができる。
【００２８】
また、請求項８に記載の発明では、請求項５に記載の電子装置において、配線基板（１０）におけるリード端子（４０）との接続面には、配線基板（１０）と熱的に接続された放熱板（４３）が介在しており、この放熱板（４３）を介して、配線基板（１０）の放熱が可能になっていることを特徴としている。
【００２９】
それによれば、放熱板（４３）によって配線基板（１０）の放熱性を向上させることができるため、好ましい。
【００３０】
また、請求項９に記載の発明では、請求項５に記載の電子装置において、配線基板（１０）におけるリード端子（４０）との接続面側には、ヒートシンク（４５）が設けられており、リード端子（４０）はヒートシンク（４５）と熱的に接続されており、ヒートシンク（４５）の一部およびリード端子（４０）の一部が露出するように、第１の電子素子（３０、３１）、配線基板（１０）、第２の電子素子（３４）、リード端子（４０）およびヒートシンク（４５）が、モールド樹脂（６０）により封止されていることを特徴としている。
【００３１】
それによれば、上記請求項５に記載の電子装置を樹脂封止型の電子装置とした場合において、装置の放熱性を適切に確保することができ、好ましい。
【００３２】
ここにおいて、請求項１０に記載の発明のように、請求項９に記載の電子装置においては、リード端子（４０）とヒートシンク（４５）とは一体に成形されたものであるものにできる。
【００３３】
また、請求項１１に記載の発明のように、請求項６ないし請求項１０に記載の電子装置において、配線基板（１０）は複数の層（１１〜１４）が積層されてなる積層基板であり、溝（１６）は、積層された複数の層（１１〜１４）のうち外面側に位置する層（１４）の一部が除去されたものとして構成されたものにできる。
【００３４】
請求項１２に記載の発明では、次のような点を特徴とする電子装置が提供される。
【００３５】
・第１の電子素子（３０、３１）が搭載された第１の配線基板（１０）と、この第１の配線基板（１０）に導電性接合部材（５０）を介して接合されたリード端子（４０）とを備えること。
【００３６】
・第１の配線基板（１０）の周辺部には、リード端子（４０）との接合部に対応した位置に、溝（１６）が形成されており、リード端子（４０）における第１の配線基板（１０）との接続端部が、導電性接合部材（５０）を介して溝（１６）にはめ込まれることにより、第１の配線基板（１０）とリード端子（４０）との接合がなされていること。
【００３７】
・リード端子（４０）は、ケース（７０）に支持されており、ケース（７０）は第１の配線基板（１０）と対向する対向面（７０ａ）を有しており、ケース（７０）の対向面（７０ａ）に第２の配線基板（２０）が設けられていること。
【００３８】
・第２の配線基板（２０）に第２の電子素子（３４）が搭載されており、第１の配線基板（１０）と第２の配線基板（２０）とはリード端子（４０）を介して電気的に接続されていること。本発明はこれらの点を特徴としている。
【００３９】
それによれば、リード端子（４０）が第１の配線基板（１０）の溝（１６）にはめ込まれて接合されているので、従来に比べて第１の配線基板（１０）とリード端子（４０）との結合を強固なものにできる。
【００４０】
また、この溝（１６）は、第１の配線基板（１０）を作製する際に同時に形成することができるため、リード端子（４０）と第１の配線基板（１０）との接合において工程数の増加を招くことは無い。
【００４１】
また、第１の配線基板（１０）、これに対向するケース（７０）の対向面（７０ａ）に設けられた第２の配線基板（２０）に、それぞれ第１の電子素子（３０、３１）、第２の電子素子（３４）を搭載しており、さらに、第２の配線基板（２０）はリード端子（４０）を介して第１の配線基板（１０）に電気的に接続されているので、電子素子（３０、３１、３４）の３次元的な配置が適切になされる。
【００４２】
よって、本発明によれば、リード端子（４０）と配線基板（１０、２０）との接合において工程数の増加を招くことなく、当該接合強度を強固なものにできるとともに、電子素子（３０、３１、３４）の３次元的な配置を容易に行え、装置の小型化を図ることができる。
【００４３】
また、請求項１３に記載の発明では、請求項１２に記載の電子装置において、ケース（７０）はヒートシンク（７１）を備えており、ヒートシンク（７１）の一面がケース（７０）の対向面（７０ａ）として構成されていることを特徴としている。
【００４４】
それによれば、ヒートシンク（７１）の一面がケース（７０）の対向面（７０ａ）として構成されているため、ケース（７０）の対向面（７０ａ）に設けられている第２の配線基板（２０）の放熱性の向上が図れる。
【００４５】
ここで、請求項１４に記載の発明のように、請求項１２または請求項１３に記載の電子装置においては、ケース（７０）は樹脂製であり、リード端子（４０）はケース（７０）にインサート成型されることにより一体化されて支持されているものにできる。
【００４６】
また、請求項１５に記載の発明のように、請求項１２〜請求項１４に記載の電子装置においては、第２の配線基板（２０）とリード端子（４０）とはボンディングワイヤ（３５）を介して電気的に接続されているものにできる。
【００４７】
また、請求項１６に記載の発明では、請求項１２に記載の電子装置において、第１の配線基板（１０）におけるリード端子（４０）との接続面には、端子（１７）が設けられており、リード端子（４０）の一部は、端子（１７）まで延びる延設部（４２）となっており、この延設部（４２）と端子（１７）とが電気的に接続されていることを特徴としている。
【００４８】
それによれば、第１の配線基板（１０）とリード端子（４０）との配線抵抗を低くでき、接続性を向上させることができる。また、たとえば端子（１７）をＧＮＤ電位とすることにより、耐ノイズ性が向上する。また、端子（１７）をパワー配線とすることにより、配線での電圧低下や発熱を抑制することができる。
【００４９】
また、請求項１７に記載の発明のように、請求項１２〜請求項１６に記載の電子装置においては、第１の配線基板（１０）は複数の層（１１〜１４）が積層されてなる積層基板であり、溝（１６）は、積層された複数の層（１１〜１４）のうち外面側に位置する層（１１）の一部が除去されたものとして構成されたものにできる。
【００５０】
なお、上記各手段の括弧内の符号は、後述する実施形態に記載の具体的手段との対応関係を示す一例である。
【発明を実施するための最良の形態】
【００５１】
以下、本発明の実施形態について図に基づいて説明する。なお、以下の各実施形態相互において、互いに同一もしくは均等である部分には、説明の簡略化を図るべく、図中、同一符号を付してある。
【００５２】
（第１実施形態）
図１は、本発明の第１実施形態に係る電子装置Ｓ１の概略断面構成を示す図である。
【００５３】
［構成等］
図１に示される電子装置Ｓ１においては、積層して配置された一対の配線基板１０、２０が備えられている。ここで、図１中の下側の配線基板１０を第１の配線基板１０、上側の配線基板２０を第２の配線基板２０とする。
【００５４】
これら配線基板１０、２０は、セラミック基板、プリント基板などからなるものであり、また、単層基板であっても、積層基板（多層基板）であってもよい。本例では、第１および第２の配線基板１０、２０としては、一般的に知られているセラミック積層基板を採用している。
【００５５】
このセラミック積層基板としての第１の配線基板１０および第２の配線基板２０は、それぞれ、たとえばアルミナなどからなる複数のセラミック層１１、１２、１３、１４および２１、２２、２３、２４が積層されたものである。
【００５６】
なお、図１では、第１の配線基板１０および第２の配線基板２０は、それぞれ、４層のセラミック層１１〜１４および２１〜２４からなるものであるが、２層以上であればよく、もちろん５層以上であってもかまわない。
【００５７】
ここで、第１の配線基板１０と第２の配線基板２０とは、互いの裏面を対向させて積層されている。つまり、図１において、第１の配線基板１０については、図中の上面が表面、下面が裏面であり、第２の配線基板２０については、図中の下面が表面、上面が裏面である。
【００５８】
そして、第１の配線基板１０の表面および第２の配線基板２０の表面には、それぞれ表面配線１５および２５が形成されており、また、図１には示さないが、これら第１および第２の配線基板１０、２０の内部、裏面には、それぞれ、内層配線、裏面配線が形成されている。
【００５９】
ここで、これら各配線は、各配線基板１０、２０の表面、裏面や各セラミック層１１〜１４、２１〜２４の間に設けられたたとえば導体ペーストを印刷してなる導体パターンであり、さらに各セラミック層１１〜１４、２１〜２４に設けられたビアホールなどによって、各配線基板１０、２０において、当該各配線は互いに電気的に接続されている。
【００６０】
また、図１に示されるように、第１の配線基板１０の表面および第２の配線基板２０の表面には、各種の電子素子３０、３１が搭載されている。ここでは、半導体チップ等からなる能動素子３０、抵抗やコンデンサ等の受動素子３１が搭載されている。
【００６１】
これら能動素子３０および受動素子３１は、それぞれの配線基板１０、２０の表面において表面配線１５、２５の上に銀ペーストや半田などの接合材３２を介して固定されている。また、能動素子３０はボンディングワイヤ３３により、各表面配線１５、２５と結線され電気的に接続されている。
【００６２】
また、図示しないが、各配線基板１０、２０の裏面には、たとえば厚膜抵抗体などの実装部品が実装されている。
【００６３】
そして、各配線基板１０、２０の表面に搭載されている各素子３０、３１や裏面の実装部品、さらには上記した表面配線１５、２５、内層配線、裏面配線等の各配線により、各配線基板１０、２０における回路が構成されている。
【００６４】
ここで、第１の配線基板１０と第２の配線基板２０との間には、リード端子としてのリードフレーム４０が介在して設けられており、このリードフレーム４０により第１および第２の配線基板１０、２０の間が電気的に接続されている。なお、リードフレーム４０は、図１中の紙面垂直方向へ複数本配列している。
【００６５】
図１に示されるように、第１の配線基板１０の裏面の周辺部および第２の配線基板２０の裏面の周辺部には、リードフレーム４０との接合部に対応した位置に、溝１６、２６が形成されている。
【００６６】
そして、リードフレーム４０における第１および第２の配線基板１０、２０との接続端部が、導電性接合部材５０を介して溝１６、２６にはめ込まれることにより、第１および第２の配線基板１０、２０とリードフレーム４０との接合がなされている。
【００６７】
つまり、リードフレーム４０の接続端部は、第１の配線基板１０と第２の配線基板２０とにより、挟みつけられており、この挟みつける部位にて、溝１６、２６が形成され、その溝１６、２６にリードフレーム４０が入り込んだ形となっている。
【００６８】
ここで、各溝１６、２６は、各配線基板１０、２０において積層された複数のセラミック層１１〜１４、２１〜２４のうち裏面側に位置する層の一部が除去されたものとして構成されている。
【００６９】
図１に示される例では、各配線基板１０、２０の最裏面側に位置するセラミック層１４、２４が、その端部から一部除去されて切り欠き部を形成しており、この切り欠き部により各溝１６、２６が形成されている。
【００７０】
このような溝１６、２６の構成を採用した場合、図示しないが、たとえば、各配線基板１０、２０において裏面側から２層目のセラミック層１３、２３に形成された配線が、溝１６、２６内に露出し、リードフレーム４０との接合電極となっている。そして、この接合電極としての配線とリードフレーム４０とが導電性接合部材５０を介して電気的・機械的に接続されている。
【００７１】
ここで、導電性接合部材５０としては、各配線基板１０、２０とリードフレーム４０とを電気的・機械的に適切に接合できるものであれば、特に限定されないが、たとえば、はんだ、銀ペースト、樹脂に金属などの導電性のフィラーが含有されてなる導電性接着剤、あるいは、ろう材などを採用することができる。
【００７２】
そして、図１に示されるように、電子装置Ｓ１においては、第１および第２の配線基板１０、２０、各配線基板１０、２０上の素子３０、３１およびその他の実装部品、さらには各配線基板１０、２０とリードフレーム４０との接合部が、モールド樹脂６０により包み込まれ、封止されている。
【００７３】
［製法等］
次に、本実施形態の電子装置Ｓ１の製造方法について、図２を参照して説明する。図２は、本製造方法を示す工程図であり、（ａ）〜（ｄ）は概略断面図、（ｅ）は各配線基板１０、２０とリードフレーム４０との接合部の拡大斜視図である。
【００７４】
本製造方法は、大きくは、第１および第２の配線基板１０、２０の周辺部にて、リードフレーム４０との接合部に対応した位置に溝１６、２６を形成する工程と、リードフレーム４０における各配線基板１０、２０との接続端部を、導電性接合部材５０を介して溝１６、２６にはめ込むことにより、各配線基板１０、２０とリードフレーム４０とを接合する工程と、樹脂封止工程とからなる。
【００７５】
まず、図２（ａ）に示されるように、各セラミック層１１〜１４、２１〜２４となるグリーンシートに、上記したビアホールや表面配線１５、２５、内層配線、裏面配線となる導体パターンを形成する。これらの形成方法は、一般的な積層基板における方法に準じて行うことができる。
【００７６】
そして、溝１６、２６となる切り欠き部を形成するために、各配線基板１０、２０の裏面側のセラミック層１４、２４の一部を除去する。図２（ａ）では、上記図１に示される例に対応して、最裏面側の１層の端部の一部を、レーザーやパンチなどによりカッティングして除去する。
【００７７】
次に、上記の各グリーンシートを積層し、この積層体を焼成する。これにより、裏面側の周辺部に溝１６、２６が形成された第１の配線基板１０および第２の配線基板２０ができあがる。
【００７８】
なお、これら配線基板１０、２０においては、必要に応じ、ＩＣなどの実装性を確保するため表面配線や裏面配線にメッキ処理を施したり、裏面に厚膜抵抗体などを印刷・焼成にて形成する。また、必要に応じて保護ガラスを形成したり、抵抗値の調整のため、レーザトリミングを行ったりする。
【００７９】
ここで、図２に示される例では、各配線基板１０、２０の裏面側から２層目のセラミック層１３、２３に形成された配線１３ａ、２３ａが、リードフレーム４０との接合電極として溝１６、２６内に露出している。
【００８０】
なお、上記したグリーンシートのカッティングは、裏面側から第１層のみであったり、第３層までであったり、必要な溝１６、２６の深さに応じて、どの層まであってもかまわない。
【００８１】
次に、図２（ｂ）に示されるように、各配線基板１０、２０の表面に電子素子３０、３１を搭載する。なお、図２（ｂ）では、第１の配線基板１０を表しているが、第２の配線基板２０においても、電子素子３０、３１の搭載の様子は同様である。
【００８２】
この電子素子３０、３１の搭載工程では、各配線基板１０、２０の表面に、それぞれ上記の能動素子３０および受動素子３１を銀ペーストや半田などの接合材３２を介して搭載・固定し、また、能動素子３０にワイヤボンディングを行ってボンディングワイヤ３３を形成し、能動素子３０と各配線基板１０、２０とを電気的に接続する。
【００８３】
次に、第１および第２の配線基板１０、２０とリードフレーム４０とを接合する工程を行う。
【００８４】
まず、図２（ｃ）および図２（ｅ）に示されるように、各配線基板１０、２０の溝１６、２６内に導電性接合部材５０を配設する。なお、図２（ｃ）では、第２の配線基板２０を表しているが、第１の配線基板１０においても、導電性接合部材５０の配設の様子は同様である。
【００８５】
この導電性接合部材５０の配設は、リードフレーム４０側に行ってもよい。その配設方法としては、特に限定するものではないが、印刷やディスペンスなどを採用することができる。
【００８６】
ここで、印刷によって導電性接合部材５０の配設を行う場合、リードフレーム４０側に導電性接合部材５０を配することが好ましい。なぜなら、溝１６、２６のような凹みのある配線基板１０、２０上に印刷する場合、溝１６、２６内にうまく導電性接合部材５０が入らないことがあるためである。
【００８７】
そして、図２（ｄ）に示されるように、リードフレーム４０における各配線基板１０、２０との接続端部を、第１および第２の配線基板１０、２０で挟み付けながら、当該リードフレーム４０の接続端部を、導電性接合部材５０を介して、それぞれの溝１６、２６にはめ込む。
【００８８】
こうして、リードフレーム４０における各配線基板１０、２０との接続端部を、導電性接合部材５０を介して、各溝１６、２６にはめ込んだ後、導電性接合部材５０の硬化を行う。それにより、第１および第２の配線基板１０、２０とリードフレーム４０とが電気的・機械的に接合される。
【００８９】
しかる後、金型を用いたトランスファーモールド法などにより、樹脂封止工程を行うことにより、第１および第２の配線基板１０、２０、各配線基板１０上の素子および実装部品、さらには各配線基板１０、２０とリードフレーム４０との接合部をモールド樹脂６０により封止する。
【００９０】
なお、ここまでの状態では、図示しないが、リードフレーム４０は個々のリードフレーム４０がタイバーなどでフレーム部に一体に連結されている。そこで、モールド樹脂６０による樹脂封止の後に、リードフレーム４０の切り離しを行う。こうして、上記電子装置Ｓ１ができあがる。
【００９１】
［効果等］
ところで、本実施形態によれば、積層して配置された第１の配線基板１０および第２の配線基板２０と、第１の配線基板１０と第２の配線基板２０との間に介在し、第１および第２の配線基板１０、２０の間を電気的に接続するリード端子としてのリードフレーム４０とを備え、第１および第２の配線基板１０、２０の周辺部には、リードフレーム４０の接合部に対応した位置に溝１６、２６が形成されており、リードフレーム４０における第１および第２の配線基板１０、２０との接続端部が、導電性接合部材５０を介して溝１６、２６にはめ込まれることにより、第１および第２の配線基板１０、２０とリードフレーム４０との接合がなされていることを特徴とする電子装置Ｓ１が提供される。
【００９２】
それによれば、リードフレーム４０が第１および第２の配線基板１０、２０の溝１６、２６にはめ込まれて接合されているので、従来に比べて第１および第２の配線基板１０、２０とリードフレーム４０との結合を強固なものにできる。
【００９３】
特に、本実施形態では、リードフレーム４０の接続端部を第１の配線基板１０と第２の配線基板２０とで挟み付けているため、上記の溝１６、２６の効果に加えて、第１および第２の配線基板１０、２０とリードフレーム４０との結合をよりいっそう強固なものにできる。
【００９４】
また、この溝１６、２６は、上記製造方法に示したように、第１および第２の配線基板１０、２０を作製する際に同時に形成することができるため、リードフレーム４０と第１および第２の配線基板１０、２０との接合において工程数の増加を招くことは無いものである。
【００９５】
また、第１および第２の配線基板１０、２０が積層され、リードフレーム４０を介して両配線基板１０、２０が電気的に接続されているので、第１および第２の配線基板１０、２０のそれぞれに電子素子３０、３１を搭載することによって、電子素子３０、３１の３次元的な配置が適切になされる。
【００９６】
よって、本実施形態によれば、リードフレーム４０と配線基板１０、２０との接合において工程数の増加を招くことなく、当該接合強度を強固なものにできるとともに、電子素子３０、３１の３次元的な配置を容易に行うことができ、装置の小型化を図ることができる。
【００９７】
また、本実施形態では、リードフレーム４０が配線基板１０、２０に直接に接合しているため、配線基板１０、２０に搭載された素子３０、３１などからでる熱をリードフレーム４０を介して外部に放熱することができる。
【００９８】
ここで、上記図１に示した例では、第１の配線基板１０および第２の配線基板２０は、複数の層１１〜１４、２１〜２４が積層されてなる積層基板であり、溝１６、２６は、積層された複数の層１１〜１４、２１〜２４のうち外面側に位置する層１４、２４の一部が除去されたものとして構成されていた。
【００９９】
しかしながら、上述したように、本実施形態の各配線基板１０、２０としては、単層基板でもよい。この場合にも、基板周辺部の一部をカットしたりプレスしたりすることで、同様に溝を形成することができる。
【０１００】
（第２実施形態）
図３は、本発明の第２実施形態に係る電子装置Ｓ２の概略断面構成を示す図である。また、図４は、図３中の下方に位置する矢印Ａ方向から見た概略平面図、図５は、図３中の下方に位置する矢印Ｂ方向から見た概略平面図である。なお、図４、図５では、モールド樹脂６０の外形を破線にて示してある。
【０１０１】
［構成等］
本実施形態の電子装置Ｓ２において、配線基板１０は、セラミック基板、プリント基板などからなるものであり、また、単層基板であっても、積層基板（多層基板）であってもよい。本例では、配線基板１０としては、一般的に知られているセラミック積層基板を採用している。
【０１０２】
このセラミック積層基板としての配線基板１０は、それぞれ、たとえばアルミナなどからなる複数のセラミック層１１、１２、１３、１４が積層されたものである。ここで、図３において、この配線基板１０については、図３中の上面が表面であり、下面が裏面である。
【０１０３】
なお、図３に示される例では、配線基板１０は、それぞれ、４層のセラミック層１１〜１４からなるものであるが、２層以上であればよく、もちろん５層以上であってもかまわない。
【０１０４】
そして、配線基板１０の表面には、表面配線１５が形成され、裏面には裏面配線の一部としての裏面電極１５ａが形成されている。さらに、図３には示さないが、配線基板１０の内部、裏面には、それぞれ、内層配線、裏面電極１５ａ以外の裏面配線が形成されている。
【０１０５】
また、図３、図５に示されるように、配線基板１０の表面には、第１の電子素子３０、３１が搭載されている。ここでは、半導体チップ等からなる能動素子３０、抵抗やコンデンサ等の受動素子３１が搭載されている。
【０１０６】
これら能動素子３０および受動素子３１は、配線基板１０の表面において、表面配線１５の上に銀ペーストや半田などの接合材３２を介して固定されている。また、能動素子３０は、ボンディングワイヤ３３により、表面配線１５と結線され、電気的に接続されている。
【０１０７】
また、図示しないが、配線基板１０の裏面には、たとえば厚膜抵抗体などの実装部品が実装されている。そして、配線基板１０の表面に搭載されている第１の電子素子３０、３１や裏面の実装部品、さらには上記した表面配線１５、内層配線、裏面配線等の各配線により、配線基板１０における回路が構成されている。
【０１０８】
このように、第１の電子素子３０、３１が搭載された配線基板１０において、その裏面側の周辺部には、リード端子としてのリードフレーム４０が導電性接合部材５０を介して接合されている。なお、リードフレーム４０は、図３中の紙面垂直方向へ複数本配列している。
【０１０９】
図３に示されるように、配線基板１０の裏面の周辺部には、リードフレーム４０との接合部に対応した位置に、溝１６が形成されている。そして、リードフレーム４０における配線基板１０との接続端部が、導電性接合部材５０を介して溝１６にはめ込まれることにより、配線基板１０とリードフレーム４０との接合がなされている。
【０１１０】
ここで、溝１６は、配線基板１０において積層された複数のセラミック層１１〜１４のうち裏面側に位置する層の一部が除去されたものとして構成されている。
【０１１１】
図３に示される例では、配線基板１０の最裏面側に位置するセラミック層１４が、その端部から一部除去されて切り欠き部を形成しており、この切り欠き部により溝１６が形成されている。
【０１１２】
このような溝１６の構成を採用した場合には、図示しないが、たとえば、配線基板１０において裏面側から２層目のセラミック層１３に形成された配線が、溝１６内に露出し、リードフレーム４０との接合電極となっている。そして、この接合電極としての配線とリードフレーム４０とが、導電性接合部材５０を介して電気的および機械的に接続されている。
【０１１３】
ここで、導電性接合部材５０としては、配線基板１０とリードフレーム４０とを電気的・機械的に適切に接合できるものであれば、特に限定されないが、たとえば、はんだ、銀ペースト、樹脂に金属などの導電性のフィラーが含有されてなる導電性接着剤、あるいは、ろう材などを採用することができる。
【０１１４】
そして、リードフレーム４０のうち配線基板１０に接合された面とは反対側の面に、第２の電子素子３４が搭載されている。この第２の電子素子３４としては、ＭＯＳＦＥＴやＩＧＢＴ（絶縁ゲート型バイポーラトランジスタ）などの大電流が流れるパワー素子などを採用することができる。
【０１１５】
そして、この第２の電子素子３４と配線基板１０とは電気的に接続されている。本実施形態では、図３、図４に示されるように、第２の電子素子３４と配線基板１０の裏面電極１５ａとがボンディングワイヤ３５を介して電気的に接続されている。
【０１１６】
また、図４に示されるように、第２の電子素子３４を搭載しているリードフレーム４０およびその近傍のリードフレーム４０とは、ボンディングワイヤ３５を介して電気的に接続されている。
【０１１７】
ここで、このリードフレーム３４間を結線するボンディングワイヤ３５は、第２の電子素子３４と配線基板１０との間を結線するボンディングワイヤ３５、および、配線基板１０にて用いられているボンディングワイヤ３３よりも太いワイヤを用いている。
【０１１８】
また、本実施形態では、図３〜図５に示されるように、電子装置Ｓ２においては、配線基板１０、配線基板１０とリードフレーム４０との接合部、配線基板１０上の第１の電子素子３０、３１およびリードフレーム４０上の第２の電子素子３４、さらには、ボンディングワイヤ３５が、モールド樹脂６０により包み込まれ、封止されている。
【０１１９】
この電子装置Ｓ２は、たとえば自動車に搭載され、自動車のモータの制御装置として適用されるものとできる。その場合、図６に示されるように、配線基板１０側に制御部Ｋ１、リードフレーム４０側にパワー部Ｋ２を配置した構成とすることができる。
【０１２０】
図６は、本実施形態の電子装置Ｓ２における回路システムの一例を示すブロック図である。制御部Ｋ１は、配線基板１０に搭載された第１の電子素子３０、３１から構成されたマイコン・駆動素子からなるものである。
【０１２１】
一方、パワー部Ｋ２は、リードフレーム４０側に搭載されたパワートランジスタ素子などからなる第２の電子素子３４により構成された出力回路であり、上記モータとは、端子Ｍ＋、Ｍ−によりつながっている。
【０１２２】
そして、たとえば、制御部Ｋ１は、自動車のＥＣＵなどからの信号を受けてマイコン・駆動素子により、パワー部Ｋ２を制御することにより、上記自動車のモータが制御されるようになっている。
【０１２３】
［製法等］
次に、本実施形態の電子装置Ｓ２の製造方法について説明する。
【０１２４】
本製造方法は、大きくは、配線基板１０の周辺部にて、リードフレーム４０との接合部に対応した位置に溝１６を形成する工程と、リードフレーム４０における配線基板１０との接続端部を、導電性接合部材５０を介して溝１６にはめ込むことにより、配線基板１０とリードフレーム４０とを接合する工程と、樹脂封止工程とからなる。
【０１２５】
まず、各セラミック層１１〜１４となるグリーンシートに対して、上記したビアホールや表面配線１５、内層配線、裏面電極１５ａを含む裏面配線となる導体パターンを形成する。これらの形成方法は、一般的な積層基板における形成方法に準じて、行うことができる。
【０１２６】
そして、溝１６となる切り欠き部を形成するために、配線基板１０の裏面側のセラミック層１４の一部を除去する。図３に示される例では、最裏面側の１層１４の端部の一部を、レーザーやパンチなどによりカッティングして除去する。
【０１２７】
次に、上記の各グリーンシートを積層し、この積層体を焼成する。これにより、裏面側の周辺部に溝１６が形成された配線基板１０ができあがる。
【０１２８】
なお、この配線基板１０においては、必要に応じ、ＩＣなどの実装性を確保するため表面配線や裏面配線にメッキ処理を施したり、裏面に厚膜抵抗体などを印刷・焼成にて形成する。また、必要に応じて保護ガラスを形成したり、抵抗値の調整のため、レーザトリミングを行ったりする。
【０１２９】
なお、上記したグリーンシートのカッティングは、配線基板１０の裏面側から第１層のみであったり、第３層までであったり、必要な溝１６の深さに応じて、どの層までであってもかまわない。
【０１３０】
次に、配線基板１０の表面に第１の電子素子３０、３１を搭載する。この第１の電子素子３０、３１の搭載工程では、配線基板１０の表面に、上記の能動素子３０および受動素子３１を銀ペーストや半田などの接合材３２を介して搭載・固定し、また、能動素子３０にワイヤボンディングを行ってボンディングワイヤ３３を形成し、能動素子３０と配線基板１０とを電気的に接続する。
【０１３１】
次に、配線基板１０とリードフレーム４０とを接合するとともに、リードフレーム４０への第２の電子素子３４の搭載工程を行う。なお、リードフレーム４０への第２の電子素子３４の搭載固定は、銀ペーストや半田などの接合材により可能であるが、その実行は、配線基板１０とリードフレーム４０とを接合する前でも後でもよい。
【０１３２】
配線基板１０とリードフレーム４０とを接合するにあたって、まず、配線基板１０の溝１６内に導電性接合部材５０を配設する。なお、この導電性接合部材５０の配設は、リードフレーム４０側に行ってもよい。その配設方法としては、特に限定するものではないが、印刷やディスペンスなどを採用することができる。
【０１３３】
ここで、印刷によって導電性接合部材５０の配設を行う場合、リードフレーム４０側に導電性接合部材５０を配することが好ましい。なぜなら、溝１６のような凹みのある配線基板１０上に印刷する場合、溝１６内にうまく導電性接合部材５０が入らないことがあるためである。
【０１３４】
そして、リードフレーム４０における配線基板１０との接続端部を、導電性接合部材５０を介して、溝１６にはめ込む。この後、導電性接合部材５０の硬化を行うことにより、配線基板１０とリードフレーム４０とが電気的・機械的に接合される。
【０１３５】
しかる後、金型を用いたトランスファーモールド法などにより、樹脂封止工程を行うことにより、配線基板１０、配線基板１０とリードフレーム４０との接合部、配線基板１０上の第１の電子素子３０、３１およびリードフレーム４０上の第２の電子素子３４、さらには、ボンディングワイヤ３５をモールド樹脂６０により封止する。
【０１３６】
なお、ここまでの状態では、図示しないが、リードフレーム４０は個々のリードフレーム４０がタイバーなどでフレーム部に一体に連結されている。そこで、モールド樹脂６０による樹脂封止の後に、リードフレーム４０の切り離しを行う。こうして、上記電子装置Ｓ２ができあがる。
【０１３７】
［効果等］
ところで、本実施形態によれば、第１の電子素子３０、３１が搭載された配線基板１０と、この配線基板１０に導電性接合部材５０を介して接合されたリードフレーム４０とを備え、配線基板１０の周辺部には、リードフレーム４０との接合部に対応した位置に、溝１６が形成されており、リードフレーム４０における配線基板１０との接続端部が、導電性接合部材５０を介して溝１６にはめ込まれることにより、配線基板１０とリードフレーム４０との接合がなされており、リードフレーム４０のうち配線基板１０に接合された面とは反対側の面に、第２の電子素子３４が搭載されており、第２の電子素子３４と配線基板１０とは電気的に接続されていることを特徴とする電子装置Ｓ２を提供することができる。
【０１３８】
それによれば、リードフレーム４０が配線基板１０の溝１６にはめ込まれて接合されているので、従来に比べて配線基板１０とリードフレーム４０との結合を強固なものにできる。
【０１３９】
また、この溝１６は、上記製造方法に示したように、配線基板１０を作製する際に同時に形成することができるため、リードフレーム４０と配線基板１０との接合において工程数の増加を招くことは無い。
【０１４０】
また、配線基板１０、リードフレーム４０のうちの配線基板１０とは反対側の面に、それぞれ第１の電子素子３０、３１、第２の電子素子３４を搭載しており、さらに、リードフレーム４０に搭載された第２の電子素子３４は配線基板１０に電気的に接続されているので、電子素子３０、３１、３４の３次元的な配置が適切になされる。
【０１４１】
よって、本実施形態によれば、リードフレーム４０と配線基板１０との接合において工程数の増加を招くことなく、当該接合強度を強固なものにできるとともに、電子素子３０、３１、３４の３次元的な配置を容易に行うことができ、装置の小型化を図ることができる。
【０１４２】
また、本実施形態では、リードフレーム４０が配線基板１０に直接に接合しているため、配線基板１０に搭載された第１の電子素子３０、３１などからでる熱をリードフレーム４０を介して外部に放熱することができる。
【０１４３】
また、上記図３〜図５に示される例においては、リードフレーム４０に搭載されている第２の電子素子３４と配線基板１０とは、ボンディングワイヤ３５を介して電気的に接続されているものであるが、これらの電気的な接続はボンディングワイヤに限定されるものではない。
【０１４４】
また、上記図３に示される例では、配線基板１０は、複数の層１１〜１４が積層されてなる積層基板であり、溝１６は、積層された複数の層１１〜１４のうち外面側に位置する層１４の一部が除去されたものとして構成されていた。
【０１４５】
しかしながら、上述したように、本実施形態の配線基板１０としては、単層基板でもよい。この場合にも、基板周辺部の一部をカットしたりプレスしたりすることで、同様に溝を形成することができる。
【０１４６】
（第３実施形態）
図７は、本発明の第３実施形態に係る電子装置Ｓ３の概略断面構成を示す図である。また、図８は、本電子装置Ｓ３を図７中の上方に位置する矢印Ｃ方向から見た概略平面図である。
【０１４７】
［構成等］
本実施形態の電子装置Ｓ３において、第１の配線基板１０は、セラミック基板、プリント基板などからなるものであり、また、単層基板であっても、積層基板（多層基板）であってもよい。本例では、第１の配線基板１０としては、一般的に知られているセラミック積層基板を採用している。
【０１４８】
このセラミック積層基板としての第１の配線基板１０は、それぞれ、たとえばアルミナなどからなる複数のセラミック層１１、１２、１３、１４が積層されたものである。ここで、図７において、第１の配線基板１０については、図７中の下面が表面、上面が裏面である。
【０１４９】
なお、図７に示される例では、第１の配線基板１０は、それぞれ、４層のセラミック層１１〜１４からなるものであるが、２層以上であればよく、もちろん５層以上であってもかまわない。
【０１５０】
そして、第１の配線基板１０の表面には、表面配線１５が形成されており、さらに、図７、図８には示さないが、第１の配線基板１０の内部、裏面には、それぞれ、内層配線、裏面配線が形成されている。
【０１５１】
また、図７に示されるように、第１の配線基板１０の表面には、第１の電子素子３０、３１が搭載されている。ここでは、半導体チップ等からなる能動素子３０、抵抗やコンデンサ等の受動素子３１が搭載されている。
【０１５２】
これら能動素子３０および受動素子３１は、第１の配線基板１０の表面において表面配線１５の上に銀ペーストや半田などの接合材３２を介して固定されている。また、能動素子３０はボンディングワイヤ３３により、表面配線１５と結線され電気的に接続されている。
【０１５３】
また、図示しないが、第１の配線基板１０の裏面には、たとえば厚膜抵抗体などの実装部品が実装されている。そして、第１の配線基板１０の表面に搭載されている第１の電子素子３０、３１や裏面の実装部品、さらには上記した表面配線１５、内層配線、裏面配線等の各配線により、第１の配線基板１０における回路が構成されている。
【０１５４】
このように第１の電子素子３０、３１が搭載された第１の配線基板１０において、その表面側の周辺部には、リード端子としてのリードフレーム４０が導電性接合部材５０を介して接合されている。なお、リードフレーム４０は、図７中の紙面垂直方向へ複数本配列している。
【０１５５】
図７に示されるように、電子装置Ｓ３では、第１の配線基板１０の裏面の周辺部には、リードフレーム４０との接合部に対応した位置に、溝１６が形成されている。そして、リードフレーム４０における第１の配線基板１０との接続端部が、導電性接合部材５０を介して溝１６にはめ込まれることにより、第１の配線基板１０とリードフレーム４０との接合がなされている。
【０１５６】
ここで、溝１６は、第１の配線基板１０において積層された複数のセラミック層１１〜１４のうち表面側に位置する層の一部が除去されたものとして構成されている。
【０１５７】
図７に示される例では、第１の配線基板１０の最表面側に位置するセラミック層１１が、その端部から一部除去されて切り欠き部を形成しており、この切り欠き部により溝１６が形成されている。
【０１５８】
このような溝１６の構成を採用した場合には、図示しないが、たとえば、配線基板１０において表面側から２層目のセラミック層１２に形成された配線が、溝１６内に露出し、リードフレーム４０との接合電極となっている。そして、この接合電極としての配線とリードフレーム４０とが、導電性接合部材５０を介して電気的および機械的に接続されている。
【０１５９】
ここで、導電性接合部材５０としては、第１の配線基板１０とリードフレーム４０とを電気的・機械的に適切に接合できるものであれば、特に限定されないが、たとえば、はんだ、銀ペースト、樹脂に金属などの導電性のフィラーが含有されてなる導電性接着剤、あるいは、ろう材などを採用することができる。
【０１６０】
また、図７に示されるように、リードフレーム４０は、ケース７０に支持されている。このケース７０は、あらかじめリードフレーム４０に一体に成形された樹脂やセラミックなどからなるものである。本例では、ケース７０は樹脂製であり、リードフレーム４０はケース７０にインサート成型されることにより一体化されて支持されている。
【０１６１】
そして、ケース７０は第１の配線基板１０と対向する対向面７０ａを有している。ここで、ケース７０には、リードフレーム４０の支持部に接着などにより固定されたヒートシンク７１が設けられており、このヒートシンク７１の一面がケース７１の対向面７０ａとして構成されている。
【０１６２】
そして、このケース７０の対向面７０ａに第２の配線基板２０が設けられている。ここでは、第２の配線基板２０は、対向面７０ａとしてのヒートシンク７１に対して熱伝導性接合材７２を介して接着固定されている。
【０１６３】
この第２の配線基板２０もセラミック基板、プリント基板などからなるものであり、また、単層基板であっても、積層基板（多層基板）であってもよい。本例では、第２の配線基板２０としては、一般的に知られているセラミック単層基板を採用している。
【０１６４】
この第２の配線基板２０には、第２の電子素子３４が搭載されている。この第２の電子素子３４としては、ＭＯＳＦＥＴやＩＧＢＴ（絶縁ゲート型バイポーラトランジスタ）などの大電流が流れるパワー素子などを採用することができる。
【０１６５】
そして、第１の配線基板１０と第２の配線基板２０とはリードフレーム４０を介して電気的に接続されている。本実施形態では、図７および図８に示されるように、第２の配線基板２０の電極２０ａとリードフレーム４０との間などが、ボンディングワイヤ３５を介して電気的に接続されている。
【０１６６】
また、本実施形態では、図７、図８に示されるように、電子装置Ｓ３においては、第１の配線基板１０、第１の配線基板１０とリードフレーム４０との接合部、第１の配線基板１０上の第１の電子素子３０、３１、第２の配線基板２０および第２の配線基板２０上の第２の電子素子３４、さらには、ボンディングワイヤ３５が、モールド樹脂６０により包み込まれ、封止されている。
【０１６７】
この電子装置Ｓ３も、たとえば自動車に搭載され、自動車のモータの制御装置として適用されるものとできる。その場合、上記図６に示されるように、制御部Ｋ１、パワー部Ｋ２を有した構成であり、前者を第１の配線基板１０側に、後者を第２の配線基板２０側に配置した構成とすることができる。
【０１６８】
上記図６は、本実施形態の電子装置Ｓ３における回路システムの一例を示すブロック図としても表され、制御部Ｋ１は、第１の配線基板１０に搭載された第１の電子素子３０、３１から構成されたマイコン・駆動素子からなるものである。
【０１６９】
一方、パワー部Ｋ２は、第２の配線基板２０側に搭載されたパワートランジスタ素子などからなる第２の電子素子３４により構成された出力回路であり、上記モータとは、端子Ｍ＋、Ｍ−によりつながっている。
【０１７０】
そして、たとえば、制御部Ｋ１は、自動車のＥＣＵなどからの信号を受けてマイコン・駆動素子により、パワー部Ｋ２を制御することにより、上記自動車のモータが制御されるようになっている。
【０１７１】
［製法等］
次に、本実施形態の電子装置Ｓ３の製造方法について、図９、図１０を参照して説明する。図９は、本製造方法を示す工程図であり、図１０は、図９に続く本製造方法を示す工程図である。
【０１７２】
まず、図９（ａ）に示されるように、第１の配線基板１０の各セラミック層１１〜１４となるグリーンシートに、上記したビアホールや表面配線１５、内層配線、裏面配線となる導体パターンを形成する。これらの形成方法は、一般的な積層基板における方法に準じて行うことができる。
【０１７３】
そして、溝１６となる切り欠き部を形成するために、第１の配線基板１０の表面側のセラミック層１１の一部を除去する。図９（ａ）では、上記図７に示される例に対応して、最表面側の１層１１の端部の一部を、レーザーやパンチなどによりカッティングして除去する。
【０１７４】
次に、上記の各グリーンシートを積層し、この積層体を焼成する。これにより、表面側の周辺部に溝１６が形成された第１の配線基板１０ができあがる。
【０１７５】
なお、この第１の配線基板１０においては、必要に応じ、ＩＣなどの実装性を確保するため表面配線や裏面配線にメッキ処理を施したり、裏面に厚膜抵抗体などを印刷・焼成にて形成する。また、必要に応じて保護ガラスを形成したり、抵抗値の調整のため、レーザトリミングを行ったりする。
【０１７６】
なお、上記したようなグリーンシートのカッティングは、表面側から第１層のみであったり、第３層までであったり、必要な溝１６の深さに応じて、どの層までであってもかまわない。
【０１７７】
次に、第１の配線基板１０の表面に第１の電子素子３０、３１を搭載する。この第１の電子素子３０、３１の搭載工程では、第１の配線基板１０の表面に、上記の能動素子３０および受動素子３１を銀ペーストや半田などの接合材３２を介して搭載・固定し、また、能動素子３０にワイヤボンディングを行ってボンディングワイヤ３３を形成し、能動素子３０と配線基板１０とを電気的に接続する。ここまでの状態が、図９（ａ）に示されている。
【０１７８】
一方、図９（ｂ）に示されるように、第２の配線基板２０に第２の電子素子３４を搭載する。この第２の電子素子３４の搭載工程も、第２の配線基板２０の表面に、第２の電子素子３４を銀ペーストや半田などの接合材を介して搭載・固定する。
【０１７９】
そして、図９（ｃ）に示されるように、この第２の電子素子３４が搭載された第２の配線基板２０を、ケース７０の対向面７０ａとなるヒートシンク７１の表面に、熱伝導性接合材７２を介して搭載し、接着固定する。
【０１８０】
また、一方、図９（ｄ）に示されるように、ケース７０にインサート成形されたリードフレーム４０を作製しておく。
【０１８１】
そして、図１０（ａ）に示されるように、このリードフレーム４０を支持するケース７０に、接着剤などを介して、ヒートシンク７０を固定し、一体化する。続いて、ワイヤボンディングを行い、第２の配線基板２０の電極２０ａとリードフレーム４０との間などを、ボンディングワイヤ３５を介して電気的に接続する。
【０１８２】
次に、図１０（ｂ）に示されるように、第１の配線基板１０とリードフレーム４０とを接合する。
【０１８３】
まず、第１の配線基板１０の溝１６内に導電性接合部材５０を配設する。この導電性接合部材５０の配設は、リードフレーム４０側に行ってもよい。その配設方法としては、特に限定するものではないが、印刷やディスペンスなどを採用することができる。
【０１８４】
ここで、印刷によって導電性接合部材５０の配設を行う場合、リードフレーム４０側に導電性接合部材５０を配することが好ましい。なぜなら、溝１６のような凹みのある配線基板１０上に印刷する場合、溝１６内にうまく導電性接合部材５０が入らないことがあるためである。
【０１８５】
そして、リードフレーム４０における配線基板１０との接続端部を、導電性接合部材５０を介して、溝１６にはめ込む。この後、導電性接合部材５０の硬化を行うことにより、第１の配線基板１０とリードフレーム４０とが電気的・機械的に接合される。
【０１８６】
しかる後、樹脂封止工程を行うことにより、第１の配線基板１０、第１の配線基板１０とリードフレーム４０との接合部、第１の配線基板１０上の第１の電子素子３０、３１、第２の配線基板２０および第２の配線基板２０上の第２の電子素子３４、さらには、ボンディングワイヤ３５をモールド樹脂６０により封止する。こうして、上記電子装置Ｓ３ができあがる。
【０１８７】
［効果等］
ところで、本実施形態によれば、次のような点を特徴とする電子装置Ｓ３が提供される。
【０１８８】
・第１の電子素子３０、３１が搭載された第１の配線基板１０と、この第１の配線基板１０に導電性接合部材５０を介して接合されたリードフレーム４０とを備えること。
【０１８９】
・第１の配線基板１０の周辺部には、リードフレーム４０との接合部に対応した位置に、溝１６が形成されており、リードフレーム４０における第１の配線基板１０との接続端部が、導電性接合部材５０を介して溝１６にはめ込まれることにより、第１の配線基板１０とリードフレーム４０との接合がなされていること。
【０１９０】
・リードフレーム４０は、ケース７０に支持されており、ケース７０は第１の配線基板１０と対向する対向面７０ａを有しており、ケース７０の対向面７０ａに第２の配線基板２０が設けられていること。
【０１９１】
・第２の配線基板２０に第２の電子素子３４が搭載されており、第１の配線基板１０と第２の配線基板２０とはリードフレーム４０を介して電気的に接続されていること。
【０１９２】
これらの点を特徴とする本電子装置Ｓ３によれば、リードフレーム４０が第１の配線基板１０の溝１６にはめ込まれて接合されているので、従来に比べて第１の配線基板１０とリードフレーム４０との結合を強固なものにできる。
【０１９３】
また、この溝１６は、上記製造方法に示したように、第１の配線基板１０を作製する際に同時に形成することができるため、リードフレーム４０と第１の配線基板１０との接合において工程数の増加を招くことは無い。
【０１９４】
また、第１の配線基板１０、これに対向するケース７０の対向面７０ａに設けられた第２の配線基板２０に、それぞれ第１の電子素子３０、３１、第２の電子素子３４を搭載しており、さらに、第２の配線基板２０はリードフレーム４０を介して第１の配線基板１０に電気的に接続されているので、電子素子３０、３１、３４の３次元的な配置が適切になされる。
【０１９５】
よって、本実施形態によれば、リードフレーム４０と配線基板１０、２０との接合において工程数の増加を招くことなく、当該接合強度を強固なものにできるとともに、電子素子３０、３１、３４の３次元的な配置を容易に行うことができ、装置の小型化を図ることができる。
【０１９６】
また、本実施形態では、リードフレーム４０が第１の配線基板１０に直接に接合しているため、第１の配線基板１０に搭載された第１の電子素子３０、３１などからでる熱をリードフレーム４０を介して外部に放熱することができる。
【０１９７】
また、上記図示例では、ケース７０はヒートシンク７１を備えており、ヒートシンク７１の一面がケース７０の対向面７０ａとして構成されているため、ケース７０の対向面７０ａに設けられている第２の配線基板２０の放熱性の向上が図れる。
【０１９８】
また、上記図示例では、第２の配線基板２０とリードフレーム４０とはボンディングワイヤ３５を介して電気的に接続されているが、これらの電気的な接続はボンディングワイヤに限定されるものではない。
【０１９９】
また、上記図示例では、第１の配線基板１０は、複数の層１１〜１４が積層されてなる積層基板であり、溝１６は、積層された複数の層１１〜１４のうち外面側に位置する層１４の一部が除去されたものとして構成されていた。
【０２００】
しかしながら、上述したように、本実施形態の第１の配線基板１０としては、単層基板でもよい。この場合にも、基板周辺部の一部をカットしたりプレスしたりすることで、同様に溝を形成することができる。
【０２０１】
（第４実施形態）
図１１は、本発明の第４実施形態に係る電子装置における要部の概略断面構成を示す図である。
【０２０２】
上記各実施形態では、配線基板１０、２０の周辺部にて、リードフレーム４０との接合部に対応した位置に溝１６を形成し、リードフレーム４０の接続端部を導電性接合部材５０を介して溝１６にはめ込むことにより、配線基板１０、２０とリードフレーム４０との接合がなされている。
【０２０３】
ここで、本実施形態では、図１１に示されるように、配線基板１０側だけでなく、リードフレーム４０の接続端部にも溝４１を形成し、導電性接合部材５０を介して配線基板１０の溝１６とリードフレーム４０の溝４１とをかみ合わせた形で、両者１０、４１の接合を行っている。
【０２０４】
なお、本実施形態は、上記第１実施形態における両配線基板１０、２０、第２実施形態における配線基板１０、第３実施形態における第１の配線基板１０といったリードフレーム４０と接合される配線基板ならば、いずれの配線基板に対しても適用することが可能なものである。
【０２０５】
このようにすることにより、リードフレーム４０と配線基板１０との接続の際の、両者の位置決め性や接合強度の向上を図ることができる。
【０２０６】
（第５実施形態）
図１２は、本発明の第５実施形態に係る電子装置Ｓ１１の概略断面構成を示す図である。本実施形態の電子装置Ｓ１１は、上記第１実施形態に示した電子装置Ｓ１を一部変形したものであり、相違点を中心に述べる。
【０２０７】
本電子装置Ｓ１１においては、第１の配線基板１０および第２の配線基板２０のどちらか一方または両方における裏面すなわちリードフレーム４０との接続面に、端子１７を設けるとともに、リードフレーム４０の一部を、端子１７まで延びる延設部５１としており、この延設部５１と端子１７とを電気的に接続している。
【０２０８】
図１２に示される例では、第１の配線基板１０におけるリードフレーム４０との接続面に、アルミニウムなどからなる端子１７を設け、リードフレーム４０の延設部５１と端子１７とを導電性接合部材５１を介して電気的に接続している。
【０２０９】
ここで、端子１７は、配線基板１０、２０に形成されている図示しない上記内層配線や裏面配線などにより、表面側の表面配線１５、２５などと電気的に接続され、回路を構成している。なお、もちろん第２の配線基板２０側でも同様の構成を採用できることは明らかである。
【０２１０】
そして、本実施形態によれば、配線基板１０、２０とリードフレーム４０との配線抵抗を低くでき、接続性を向上させることができる。また、たとえば端子１７をＧＮＤ電位とすることにより、耐ノイズ性が向上する。また、端子１７をパワー配線とすることにより、配線での電圧低下や発熱を抑制することができる。そして、回路特性を向上させることができる。
【０２１１】
（第６実施形態）
図１３は、本発明の第６実施形態に係る電子装置Ｓ２１の概略断面構成を示す図である。本実施形態の電子装置Ｓ２１は、上記第２実施形態に示した電子装置Ｓ２を一部変形したものであり、相違点を中心に述べる。
【０２１２】
本実施形態の電子装置Ｓ２１は、上記第５実施形態を上記第２実施形態に適用したものである。つまり、本実施形態の電子装置Ｓ２１においては、配線基板１０における裏面すなわちリードフレーム４０との接続面に、端子１７を設けるとともに、リードフレーム４０の一部を、端子１７まで延びる延設部５１としており、この延設部５１と端子１７とを電気的に接続している。
【０２１３】
図１３に示される例では、配線基板１０におけるリードフレーム４０との接続面に、端子１７を設け、リードフレーム４０の延設部５１と端子１７とを導電性接合部材５１を介して電気的に接続している。
【０２１４】
ここで、端子１７は、配線基板１０に形成されている図示しない上記内層配線や裏面配線などにより、表面側の表面配線１５、２５などと電気的に接続され、回路を構成している。
【０２１５】
そして、本実施形態によっても、配線基板１０とリードフレーム４０との配線抵抗を低くでき、接続性を向上させることができる。また、たとえば端子１７をＧＮＤ電位とすることにより、耐ノイズ性が向上する。また、端子１７をパワー配線とすることにより、配線での電圧低下や発熱を抑制することができる。そして、回路特性を向上させることができる。
【０２１６】
なお、図示しないが、この延設部４２を有するリードフレーム４０の構成は、上記図７に示されるような第３実施形態の電子装置Ｓ３に対しても、適用可能であることは明らかである。
【０２１７】
たとえば、図示しないけれども、上記図７において、第１の配線基板１０におけるリードフレーム４０との接続面にて各種の電子素子を回避する位置に、上記同様の端子１７を設け、そこまでリードフレーム４０に上記同様の延設部４２を形成し、延設部４２と端子１７とを電気的に接続すればよい。
【０２１８】
（第７実施形態）
図１４は、本発明の第７実施形態に係る電子装置Ｓ１２の概略断面構成を示す図である。本実施形態の電子装置Ｓ１２は、上記第１実施形態に示した電子装置Ｓ１を一部変形したものであり、相違点を中心に述べる。
【０２１９】
本実施形態の電子装置Ｓ１２では、第１の配線基板１０と第２の配線基板２０との間には、これら両配線基板１０、２０と熱的に接続された放熱板４３が介在しており、この放熱板４３を介して、両配線基板１０、２０の放熱が可能になっている。
【０２２０】
具体的に、図１４に示される例では、Ｃｕなどからなる放熱板４３を熱伝導性の接合部材５３、たとえばはんだや樹脂接着剤などからなる接合部材５３を介して、両配線基板１０、２０に接続している。
【０２２１】
それによれば、放熱板４３によって両配線基板１０、２０の放熱性を向上させることができるため、好ましい。
【０２２２】
ここで、図１４に示される例では、装置のほぼ全体がモールド樹脂６０により封止されているが、放熱板４３は、その一部がこのモールド樹脂６０から露出しているか、外部の放熱部材と熱的に接続されていることが望ましい。
【０２２３】
図１５（ａ）、（ｂ）は、放熱板４３がモールド樹脂６０から露出している形態の一例を示す平面図である。
【０２２４】
図１５（ａ）に示される例では、放熱板４３は、モールド樹脂６０から突出する櫛歯状の突出部４４を有している。この突出部４４は矩形状の放熱板４３の本体と一体に成形されたものでもよいし、かしめや溶接接着などにより接合されていてもよい。放熱板４３からの熱は、この突出部４４からモールド樹脂６０の外部へ逃がされる。
【０２２５】
ここで、突出部４４は、矩形板状をなす放熱板４３の四方に設けられている。また、リードフレーム４０が存在する辺においては、突出部４４は、リードフレーム４０の間に設けられている。
【０２２６】
また、図１５（ｂ）に示される例では、矩形板状の放熱板４３は、そのうちのリードフレーム４０が存在しない２辺において、モールド樹脂６０から突出するようにサイズが大きくなったものである。この場合も、この突出した部位から放熱板４３の熱がモールド樹脂６０の外部へ逃される。
【０２２７】
（第８実施形態）
図１６は、本発明の第８実施形態に係る電子装置Ｓ２２の概略断面構成を示す図である。本実施形態の電子装置Ｓ２２は、上記第１実施形態に示した電子装置Ｓ１を一部変形したものであり、相違点を中心に述べる。
【０２２８】
本実施形態の電子装置Ｓ２２は、上記第７実施形態を上記第２実施形態に適用したものである。つまり、本実施形態の電子装置Ｓ２２では、配線基板１０における裏面すなわちリードフレーム４０との接続面には、配線基板１０と熱的に接続された放熱板４３が介在しており、この放熱板４３を介して、配線基板１０の放熱が可能になっている。
【０２２９】
具体的に、図１６に示される例では、Ｃｕなどからなる放熱板４３を熱伝導性の接合部材５３、たとえばはんだや樹脂接着剤などからなる接合部材５３を介して、配線基板１０に接続している。
【０２３０】
それによれば、放熱板４３によって配線基板１０の放熱性を向上させることができるため、好ましい。
【０２３１】
ここで、図１６に示される例では、装置のほぼ全体がモールド樹脂６０により封止されているが、放熱板４３は、その一部がこのモールド樹脂６０から露出しているか、外部の放熱部材と熱的に接続されていることが望ましい。その形態は、上記図１５に示される例と同様のものにできる。
【０２３２】
（第９実施形態）
図１７は、本発明の第９実施形態に係る電子装置の要部における概略断面構成を示す図である。図１７に示される構成は、上記図４に示される第２実施形態の電子装置の一部を変形したものであるが、本実施形態は、上記第１実施形態の電子装置にも適用することができる。
【０２３３】
上記第１及び第２実施形態では、リードフレーム４０における配線基板１０、２０との接続端部が、導電性接合部材５０を介して溝１６、２６にはめ込まれることにより、配線基板１０、２０とリードフレーム４０との接合がなされている。
【０２３４】
ここで、図１７に示される本実施形態のように、配線基板１０には溝１６を設けない部分を設置し、その部分にもリードフレーム４０’を導電性接合部材５０などを介して電気的にするようにしてもよい。
【０２３５】
それによれば、配線基板１０、２０側において溝の加工ができない箇所にもリードフレーム４０’を接続することができる。
【０２３６】
（第１０実施形態）
図１８は、本発明の第１０実施形態に係る電子装置Ｓ２３の概略断面構成を示す図である。本実施形態の電子装置Ｓ２３は、上記第２実施形態に示した電子装置Ｓ２を一部変形したものであり、相違点を中心に述べる。
【０２３７】
本電子装置Ｓ２３においては、配線基板１０におけるリードフレーム４０との接続面側に、ヒートシンク４５を設け、リードフレーム４０はヒートシンク４５と熱的に接続されており、さらに、ヒートシンク４５の一部およびリードフレーム４０の一部が露出するように、第１の電子素子３０、３１、配線基板１０、第２の電子素子３４、リードフレーム４０およびヒートシンク４５が、モールド樹脂６０により封止されている。
【０２３８】
図１８に示される例では、リードフレーム４０とヒートシンク４５とは一体成形されたものとなっていることにより、両者４０、４５が熱的に接続されている。もちろん、リードフレーム４０とヒートシンク４５とは別体で、たとえば、かしめや溶接などにより熱的に接続されていてもよい。
【０２３９】
そして、ヒートシンク４５と配線基板１０とは接着剤５４を介して熱的に接続され、配線基板１０の熱はヒートシンク４５を介して逃されるようになっている。なお、本実施形態では、第２の電子素子３４と配線基板１０とは、図示しない部位にてボンディングワイヤなどにより電気的に接続することができる。
【０２４０】
このように、本実施形態によれば、樹脂封止型の電子装置とした場合において、装置Ｓ２３の放熱性を適切に確保することができ、好ましい。
【０２４１】
（他の実施形態）
なお、上記実施形態では、配線基板１０、２０を主として積層基板からなるものとして説明したが、この配線基板１０、２０は、厚膜基板、プリント樹脂基板であってもよい。さらに、複数の配線基板を採用する実施形態においては、配線基板を積層基板、厚膜基板、プリント樹脂基板などの種類の異なる基板の組合せとしてもよい。
【図面の簡単な説明】
【０２４２】
【図１】本発明の第１実施形態に係る電子装置の概略断面構成を示す図である。
【図２】上記第１実施形態の電子装置の製造方法を示す工程図である。
【図３】本発明の第２実施形態に係る電子装置の概略断面構成を示す図である。
【図４】図３のＡ矢視概略平面図である。
【図５】図３のＢ矢視概略平面図である。
【図６】上記第２実施形態の電子装置における回路システムの一例を示すブロック図である。
【図７】本発明の第３実施形態に係る電子装置の概略断面構成を示す図である。
【図８】図３のＣ矢視概略平面図である。
【図９】上記第３実施形態の電子装置の製造方法を示す工程図である。
【図１０】図９に続く製造方法を示す工程図である。
【図１１】本発明の第４実施形態に係る電子装置における要部の概略断面構成を示す図である。
【図１２】本発明の第５実施形態に係る電子装置の概略断面構成を示す図である。
【図１３】本発明の第６実施形態に係る電子装置の概略断面構成を示す図である。
【図１４】本発明の第７実施形態に係る電子装置の概略断面構成を示す図である。
【図１５】上記第７実施形態において放熱板がモールド樹脂から露出している形態の一例を示す平面図である。
【図１６】本発明の第８実施形態に係る電子装置の概略断面構成を示す図である。
【図１７】本発明の第９実施形態に係る電子装置の要部における概略断面構成を示す図である。
【図１８】本発明の第１０実施形態に係る電子装置の概略断面構成を示す図である。
【符号の説明】
【０２４３】
１０…配線基板、第１の配線基板、
１１、１２、１３、１４、２１、２２、２３、２４…セラミック層、
１６、２６…溝、１７…端子、２０…第２の配線基板、
３０、３１…第１の電子素子、３４…第２の電子素子、３５…ボンディングワイヤ、
４０…リード端子としてのリードフレーム、
４２…リードフレームの延設部、４３…放熱板、４５…ヒートシンク、
５０…導電性接合部材、７０…ケース、７０ａ…ケースにおける対向面、
７１…ヒートシンク。
【図１】
2005229090.tif 000003
【図２】
2005229090.tif 000004
【図３】
2005229090.tif 000005
【図４】
2005229090.tif 000006
【図５】
2005229090.tif 000007
【図６】
2005229090.tif 000008
【図７】
2005229090.tif 000009
【図８】
2005229090.tif 000010
【図９】
2005229090.tif 000011
【図１０】
2005229090.tif 000012
【図１１】
2005229090.tif 000013
【図１２】
2005229090.tif 000014
【図１３】
2005229090.tif 000015
【図１４】
2005229090.tif 000016
【図１５】
2005229090.tif 000017
【図１６】
2005229090.tif 000018
【図１７】
2005229090.tif 000019
【図１８】
2005229090.tif 000020